(57)【要約】【課題】遊技球に繋がれた糸状体を容易に切断することができ、また十分な強度により糸状体の切断機能を長期間発揮し得る遊技機を提供する。【解決手段】糸状体が繋がれた遊技球が発射手段により発射された場合に糸状体を切断可能な切断手段を、例えば球戻り防止手段を構成する可動部材に設けた遊技機で、切断手段を、第１刃部７３ａを有する板状の第１切断部材７１ａと、第２刃部７３ｂを有する板状の第２切断部材７１ｂとで構成し、第１刃部７３ａと第２刃部７３ｂとが向かい合わせで交差するように第１切断部材７１ａと第２切断部材７１ｂとを重ねることにより、遊技球の進行方向に沿って切断手段の先端側から他端側に向けて略Ｖ字状の切り込み部７９を設ける。【選択図】図６
2016209061.tif 000002
【特許請求の範囲】
【請求項１】
遊技領域に向けて遊技球を発射可能な発射手段と、
糸状体が繋がれた前記遊技球が前記発射手段により発射された場合に前記糸状体を切断可能な切断手段と
を備えた遊技機において、
前記切断手段は、第１縁部を有する板状の第１切断部材と、第２縁部を有する板状の第２切断部材とを備え、
前記第１縁部と前記第２縁部とが向かい合わせで交差するように前記第１切断部材と前記第２切断部材とを重ねることにより、遊技球の進行方向に沿って前記切断手段の先端側から他端側に向けて略Ｖ字状の切り込み部が形成されている
ことを特徴とする遊技機。
【請求項２】
前記第１切断部材における前記第１縁部よりも前記他端側に第１端部重複部を、前記第２切断部材における前記第２縁部よりも前記他端側に第２端部重複部を夫々一体に設け、
前記第１端部重複部と前記第２端部重複部とを重ね合わせた
ことを特徴とする請求項１に記載の遊技機。
【請求項３】
前記第１端部重複部は、遊技球の進行方向に直交する幅方向における前記第１縁部側に突出し、
前記第２端部重複部は、前記幅方向における前記第２縁部側に突出している
ことを特徴とする請求項２に記載の遊技機。
【請求項４】
前記第１切断部材及び前記第２切断部材における前記先端側に、前記糸状体を前記切り込み部側に案内する案内部を設けた
ことを特徴とする請求項１〜３の何れかに記載の遊技機。
【請求項５】
前記切断手段は、前記切り込み部を露出させた状態で前記第１，第２切断部材を覆うカバー部材を備えた
ことを特徴とする請求項１〜４の何れかに記載の遊技機。
【請求項６】
前記カバー部材の前記先端側に、前記糸状体を前記切り込み部側に案内するカバー側案内部を設けた
ことを特徴とする請求項５に記載の遊技機。
【請求項７】
前記第１縁部と前記第２縁部とを複数組設けることにより、前記切り込み部を遊技球の進行方向に直交する幅方向に複数配置した
ことを特徴とする請求項１〜６の何れかに記載の遊技機。
【請求項８】
前記複数の切り込み部の間で、前記第１切断部材側の第１中間重複部と前記第２切断部材側の第２中間重複部とを重ね合わせた
ことを特徴とする請求項７に記載の遊技機。
【請求項９】
前記第１切断部材と前記第２切断部材とを同一形状に形成し、それらを同一面側が対向するように重ねた
ことを特徴とする請求項１〜８の何れかに記載の遊技機。
【請求項１０】
前記遊技領域から前記発射手段側への遊技球の戻りを防止する球戻り防止手段を構成する可動部材又はその近傍に前記切断手段を設けた
ことを特徴とする請求項１〜９の何れかに記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機に関しては、遊技ホールにおいて不正な手段を用いて賞球を得る、いわゆるゴト行為による被害が数多く報告されている。それらのゴト行為の中には、釣り糸のような糸状体の一端側を遊技球に固定し、その糸状体の他端側を手で保持したままでその遊技球を発射して遊技領域に到達させた後、手元で糸状体を操作して例えば入賞口のスイッチを連続的にＯＮさせることにより大量の賞球を払い出させる、いわゆる「糸付き玉ゴト」と呼ばれる行為がある。
この糸付き玉ゴトへの対策として、例えば特許文献１に記載の遊技機では、遊技球に繋がれた糸状体をその途中位置で捕捉してその移動を規制し、或いは切断するためのＶ字状の谷部を、遊技領域から発射手段側への遊技球の戻りを防止する球戻り防止手段に設けている。
【先行技術文献】
【特許文献】
【０００３】
【特許文献１】特開２０１２−１６１５５１号公報
【発明の概要】
【発明が解決しようとする課題】
【０００４】
特許文献１に記載の遊技機では、Ｖ字状の谷部の一方側の第１縁部を有する第１切断部材と、他方側の第２縁部を有する第２切断部材とを、それら第１，第２縁部を突き合わせるように結合しているため、糸状体を捕捉することはできても切断することは困難であった。また、特に面外方向の強度を十分に確保することが難しいため、遊技球が繰り返し衝突することにより短期間で損傷し、本来の機能を発揮できなくなる可能性があった。
本発明は上記事情に鑑みてなされたものであり、遊技球に繋がれた糸状体を容易に切断することができ、また十分な強度により糸状体の切断機能を長期間発揮し得る遊技機を提供することを目的とする。
【課題を解決するための手段】
【０００５】
本発明は、遊技領域６ａに向けて遊技球Ｂを発射可能な発射手段８と、糸状体Ａが繋がれた前記遊技球Ｂが前記発射手段８により発射された場合に前記糸状体Ａを切断可能な切断手段６７，６７′とを備えた遊技機において、前記切断手段６７，６７′は、第１縁部７３ａを有する板状の第１切断部材７１ａと、第２縁部７３ｂを有する板状の第２切断部材７１ｂとを備え、前記第１縁部７３ａと前記第２縁部７３ｂとが向かい合わせで交差するように前記第１切断部材７１ａと前記第２切断部材７１ｂとを重ねることにより、遊技球Ｂの進行方向に沿って前記切断手段６７，６７′の先端側から他端側に向けて略Ｖ字状の切り込み部７９が形成されているものである。
また、前記第１切断部材７１ａにおける前記第１縁部７３ａよりも前記他端側に第１端部重複部７７ａを、前記第２切断部材７１ｂにおける前記第２縁部７３ｂよりも前記他端側に第２端部重複部７７ｂを夫々一体に設け、前記第１端部重複部７７ａと前記第２端部重複部７７ｂとを重ね合わせてもよい。この場合、前記第１端部重複部７７ａは、遊技球の進行方向に直交する幅方向における前記第１縁部７３ａ側に突出し、前記第２端部重複部７７ｂは、前記幅方向における前記第２縁部７３ｂ側に突出するように構成してもよい。
また、前記第１切断部材７１ａ及び前記第２切断部材７１ｂにおける前記先端側に、前記糸状体Ａを前記切り込み部７９側に案内する案内部７８を設けることが望ましい。
前記切断手段６７，６７′は、前記切り込み部７９を露出させた状態で前記第１，第２切断部材７１ａ，７１ｂを覆うカバー部材７２を備えた構成としてもよい。この場合、前記カバー部材７２の前記先端側に、前記糸状体Ａを前記切り込み部７９側に案内するカバー側案内部８４を設けることが望ましい。
前記第１縁部７３ａと前記第２縁部７３ｂとを複数組設けることにより、前記切り込み部７９を遊技球の進行方向に直交する幅方向に複数配置してもよい。この場合、前記複数の切り込み部７９の間で、前記第１切断部材７１ａ側の第１中間重複部７５ａと前記第２切断部材７１ｂ側の第２中間重複部７５ｂとを重ね合わせてもよい。
また、前記第１切断部材７１ａと前記第２切断部材７１ｂとを同一形状に形成し、それらを同一面側が対向するように重ねてもよい。前記遊技領域６ａから前記発射手段８側への遊技球の戻りを防止する球戻り防止手段４３を構成する可動部材６２又はその近傍に前記切断手段６７，６７′を設けてもよい。
【発明の効果】
【０００６】
本発明によれば、遊技球に繋がれた糸状体を切断手段により容易に切断することができ、また切断手段が十分な強度を有することにより糸状体の切断機能を長期間発揮することが可能である。
【図面の簡単な説明】
【０００７】
【図１】本発明の第１の実施形態に係るパチンコ機の全体正面図である。
【図２】同パチンコ機の前枠の正面図である。
【図３】同パチンコ機の前枠の平面断面図である。
【図４】同パチンコ機の球戻り防止手段の拡大斜視図である。
【図５】同パチンコ機の球戻り防止手段の分解斜視図である。
【図６】同パチンコ機の球戻り防止手段を構成する可動部材の分解斜視図である。
【図７】同パチンコ機の球戻り防止手段の拡大正面断面図である。
【図８】同パチンコ機の球戻り防止手段の拡大側面断面図である。
【図９】同パチンコ機の第１，第２切断部材を示す図である。
【図１０】同パチンコ機の切断手段による糸状体の切断動作の説明図である。
【図１１】本発明の第２の実施形態に係るパチンコ機の球戻り防止手段及びその近傍の拡大側面断面図である。
【図１２】同パチンコ機の第１，第２切断部材を示す図である。
【図１３】本発明の第３の実施形態に係るパチンコ機の球戻り防止手段及びその近傍の拡大側面断面図である。
【図１４】本発明の第４の実施形態に係るパチンコ機の球戻り防止手段及びその近傍の拡大側面断面図である。
【発明を実施するための形態】
【０００８】
以下、本発明の実施形態を図面に基づいて詳述する。図１〜図１０は本発明をパチンコ機に採用した第１の実施形態を例示している。図１〜図３に示すように、パチンコ機１は、矩形状の外枠２と、この外枠２の前側に装着された前枠３とを備え、これらにより遊技機本体が構成されている。前枠３は左右一端側が上下一対のヒンジ４により外枠２に縦軸廻りに開閉自在に枢支されている。
【０００９】
前枠３には、上部側の遊技盤装着部５に遊技盤６が例えば前側から着脱自在に装着され、また下部側の支持壁７に発射手段８、下部スピーカ９等が装着されている。前枠３の前側には、ヒンジ４と略同一軸心上のヒンジ１０（図２）により前扉１１が開閉自在に装着されている。
【００１０】
前扉１１は、前枠３の上下幅、左右幅に対応する大きさに形成され、その上部側に遊技盤６の遊技領域６ａに対応する視認窓１２と、この視認窓１２の上側に配置された左右一対の上部スピーカ１３と、視認窓１２の下部側に配置された左右一対の中間スピーカ１４と、これらの前側に配置された化粧カバー１５とが設けられている。
【００１１】
また、前扉１１の下部前側には、発射用の遊技球を貯留する上貯留手段１６、余剰球を貯留する下貯留手段１７、チャンスボタン兼用の発光演出手段１８、発射手段８を作動させるための発射ハンドル１９及び化粧カバー２０，２１等が設けられ、また前扉１１の下部裏側には、上貯留手段１６から供給される遊技球を発射手段８へと送る球送り手段２２が設けられている。なお、前扉１１は、例えば視認窓１２を含む上部側と、貯留手段１６，１７等を含む下部側とに分割してもよい。
【００１２】
上貯留手段１６は、図３に示すように、遊技盤６と略平行な台板２３の前側に広がる皿状の貯留部２４と、この貯留部２４の左右一方側に台板２３に沿って配置され且つ下流端側が球送り手段２２に接続される誘導通路２５と、貯留部２４内の遊技球を一列状に整列させつつ例えばＵターンさせて誘導通路２５に案内する整列部２６とを備えている。
【００１３】
発射手段８は、図２に示すように、遊技盤６の下側で左右方向の略中央に配置されており、球送り手段２２から発射用の遊技球を受ける発射レール２７と、発射レール２７上に供給された遊技球を所定の発射位置に保持するストッパー２８と、前後方向の駆動軸２９ａ廻りに揺動可能な打撃槌２９と、駆動軸２９ａを介して打撃槌２９を駆動するロータリソレノイド等の発射駆動手段３０とを備え、遊技者が発射ハンドル１９を操作したときに、発射駆動手段３０の駆動により打撃槌２９が発射レール２７上の遊技球を打撃して遊技盤６側へと発射するようになっている。なお、球送り手段２２は、発射駆動手段３０による打撃槌２９の発射動作と同期して遊技球を１個ずつ発射レール２７上に供給するようになっている。
【００１４】
遊技盤６の前面側には、図２に示すように、遊技領域６ａの周囲を取り囲むように外レール３１、内レール３２及び装飾部材３３が配置されると共に、遊技領域６ａ内には、中央表示ユニット３４、普通図柄始動手段３５、特別図柄始動手段３６、可変入賞手段３７、普通入賞手段３８、普通図柄表示手段３９、特別図柄表示手段４０等が配置されている。
【００１５】
外レール３１は、例えば金属板により構成されており、遊技盤６の下部側の左右方向略中央位置又はそれよりも若干左寄りの位置から遊技盤６の左端側及び上端側を経て右上部側まで略円弧状に配置されている。内レール３２は、例えば合成樹脂により構成されており、遊技盤６の左上部から左下部まで外レール３１に並行するようにその内側に略円弧状に配設されている。そして、その内レール３２と外レール３１とで挟まれた部分が、発射手段８により発射された遊技球を遊技領域６ａに案内する発射案内通路４１となっている。
【００１６】
装飾部材３３は例えば合成樹脂により構成されており、外レール３１の上端側と、内レール３２の下端側とを接続するように、遊技盤６の右側縁部及び下縁部に沿って略Ｌ字型に形成されている。また、発射案内通路４１から遊技領域６ａへの出口４２には、遊技領域６ａ側から発射案内通路４１側（即ち発射手段８側）への遊技球の戻りを防止するための球戻り防止手段４３が設けられている。なお、この球戻り防止手段４３の詳細については後述する。
【００１７】
中央表示ユニット３４は遊技領域６ａの左右方向の略中央の上部に配置され、また特別図柄始動手段３６、可変入賞手段３７は例えば中央表示ユニット３４の下側に上下に配置されている。普通図柄始動手段３５は、遊技球が通過可能な通過ゲートで、例えば中央表示ユニット３４と内レール３２との間に配置されており、通過した遊技球を検出可能な遊技球検出スイッチ３５ａを備えている。
【００１８】
特別図柄始動手段３６は、上部入賞口４４と下部入賞口４５とを上下に備えている。上部入賞口４４は開閉手段を有しない非開閉式入賞口で、入賞した遊技球を検出可能な入賞検出スイッチ４４ａを備えている。下部入賞口４５は例えば左右一対の開閉手段４６を有する開閉式入賞口で、入賞した遊技球を検出可能な入賞検出スイッチ４５ａを備えている。特別図柄始動手段３６の上部入賞口４４、下部入賞口４５に遊技球が入賞し、入賞検出スイッチ４４ａ，４５ａがその遊技球を検出した場合には、予め定められた個数の遊技球が賞球として遊技者に払い出される。
【００１９】
可変入賞手段３７は、可変入賞口４７と、この可変入賞口４７を開閉する開閉板４８と、入賞した遊技球を検出可能な入賞検出スイッチ３７ａとを備えている。開放中の可変入賞手段３７に遊技球が入賞し、入賞検出スイッチ３７ａがその遊技球を検出した場合には、予め定められた個数の遊技球が賞球として遊技者に払い出される。普通入賞手段３８は可変入賞手段３７の側方、例えば左右両側に配置され、夫々入賞した遊技球を検出可能な入賞検出スイッチ３８ａを備えており、この入賞検出スイッチ３８ａが遊技球を検出した場合には、予め定められた個数の遊技球が賞球として遊技者に払い出される。
【００２０】
中央表示ユニット３４は、支持部材（図示省略）を介して遊技盤６の後側に装着された液晶式等の画像表示手段５１と、画像表示手段５１に対応する表示窓を有し且つ遊技盤６に前側から装着された前飾り枠５２とを備え、前飾り枠５２の前側に普通図柄表示手段３９、特別図柄表示手段４０等が配置されている。
【００２１】
普通図柄表示手段３９は普通図柄を変動表示するためのもので、複数種類の普通図柄（例えば二種類の「○」「×」）に対応する複数個の発光素子により構成されており、普通図柄始動手段３５が遊技球を検出することを条件に２個の発光素子が交互に点灯するように所定時間点滅して、普通図柄始動手段３５による遊技球検出時に抽選した乱数値が予め定められた特定遊技判定値と一致した場合に当たり態様（所定態様）である「○」側の発光素子が点灯し、それ以外の場合に外れ態様（非所定態様）である「×」側の発光素子が点灯して停止する。
【００２２】
特別図柄表示手段４０は発光部位の変化等で特別図柄を変動表示可能なセグメント式の表示手段等により構成されており、遊技球が特別図柄始動手段３６に入賞することを条件に特別図柄が所定時間変動して、特別図柄始動手段３６による遊技球検出時に抽選された乱数値が予め定められた特別遊技判定値と一致した場合に所定の大当たり態様（特別態様）で、それ以外の場合に外れ態様（非特別態様）で停止するようになっている。
【００２３】
特別図柄始動手段３６の下部入賞口４５は、普通図柄表示手段３９の変動後の停止図柄が当たり態様となったときに所定時間（短時間）だけ開放する。可変入賞手段３７は、特別図柄表示手段４０の変動後の特別図柄が大当たり態様となって特別利益状態が発生したときに開閉板４８が前側に開放して、上方から落下してきた遊技球を可変入賞口４７へと入賞させるようになっている。
【００２４】
画像表示手段５１は、特別図柄表示手段４０の特別図柄に対応する演出図柄を変動表示する等、必要に応じて適宜タイミングで各種の演出画像を随時表示して画像演出を行う。即ち、特別図柄表示手段４０の特別図柄の変動に際しては、その特別図柄の変動に同期して１個又は複数個、例えば３個の演出図柄５３ａ〜５３ｃが画像表示手段５１により変動表示される。この演出図柄５３ａ〜５３ｃは特別図柄始動手段３６による遊技球検出を条件に、抽選により決定された所定の演出図柄変動パターンを経て所定時間変動した後、特別図柄の変動終了に同期して所定の順序（例えば左、右、中等の順序）で順次停止する。
【００２５】
演出図柄５３ａ〜５３ｃの変動後の停止図柄は、特別図柄が大当たり態様（特別態様）で停止する場合には全てが揃う特別演出態様となり、特別図柄が外れ態様（非特別態様）で停止する場合には少なくとも一部が異なる非特別演出態様となる。なお、演出図柄５３ａ〜５３ｃには例えば０〜９までの数字図柄が使用される。
【００２６】
続いて、図４〜図１０等を参照しつつ球戻り防止手段４３の構成について説明する。球戻り防止手段４３は、図４〜図９等に示すように、出口４２を開閉する開閉部６１を有する可動部材６２と、この可動部材６２を前後方向の回転軸６３廻りに揺動可能に支持する支持部材６４とを備えている。
【００２７】
可動部材６２は、図５〜図８等に示すように、回転軸６３が挿通される軸孔６５ａを有する前後方向の筒状部６５と、その筒状部６５から略半径方向の互いに異なる向きに突設された開閉部６１及び錘部６６とを備え、全体として例えば正面視逆「く」の字状に形成されている。
【００２８】
開閉部６１は、筒状部６５に対して略上向きとなるように配置されており、その先端側（上端側）に設けられた切断手段６７と、この切断手段６７と筒状部６５とを連結する連結部６８とを備えている。切断手段６７は、糸状体Ａが繋がれた不正球Ｂ（図７参照）が発射手段８により発射された場合にその糸状体Ａを切断するためのもので、第１切断部材７１ａと、第２切断部材７１ｂと、それら第１，第２切断部材７１ａ，７１ｂを支持するカバー部材７２とを備えている。
【００２９】
第１切断部材７１ａと第２切断部材７１ｂとは同一形状に形成された金属板で、図６等に示すように互いの同一面側が対向するように重ねられており、図９等に示すように、刃部７３を有する略Ｌ字型の切断刃構成部７４が、例えば中間重複部７５を挟んで回転軸６３の方向（前後方向）に複数（ここでは２つ）連結された形状に形成されている。
【００３０】
切断刃構成部７４は、図９に示すように、遊技球の進行方向に沿って配置され且つその長手方向に沿う両縁部のうちの一方が刃部７３を構成する突出部７６と、この突出部７６の回転軸６３側に設けられ且つ回転軸６３に沿って刃部７３側に突出する端部重複部７７とで構成されている。突出部７６は、刃部７３が遊技球の進行方向に対して傾斜していることにより先細り状に形成されている。また、突出部７６の先端部には、少なくとも幅方向における刃部７３側に、刃部７３側に向けて傾斜する傾斜案内部（案内部）７８が形成されている。中間重複部７５は、２つの切断刃構成部７４の間に一体に設けられており、例えば遊技球の進行方向の長さが切断刃構成部７４と同寸法の略矩形状に形成されている。
【００３１】
第１切断部材７１ａと第２切断部材７１ｂとは、図６〜図８等に示すように、突出部７６の向きを揃えた状態で一方を反転させて互いに重ね合わされている。これにより、第１切断部材７１ａ側の刃部（第１縁部）７３（以下、第１刃部７３ａとする）と第２切断部材７１ｂ側の刃部（第２縁部）７３（以下、第２刃部７３ｂとする）とが向かい合わせで交差し、遊技球の進行方向に沿って開閉部６１の先端側から他端側（回転軸６３側）に向けて凹入する略Ｖ字状の切り込み部７９が、開閉部６１の幅方向（遊技球の進行方向に直交する方向、ここでは前後方向）に所定距離をおいて２つ形成されている。
【００３２】
また、第１切断部材７１ａ側の端部重複部７７（以下、第１端部重複部７７ａとする）と第２切断部材７１ｂ側の端部重複部７７（以下、第２端部重複部７７ｂとする）とが、それらの略全面において互いに重ね合わされ、また第１切断部材７１ａ側の中間重複部７５（以下、第１中間重複部７５ａとする）と第２切断部材７１ｂ側の中間重複部７５（以下、第２中間重複部７５ｂとする）とについても、それらの略全面において互いに重ね合わされている。このように、第１切断部材７１ａと第２切断部材７１ｂとは互いに重なり合う面積が大きいため、特に面外方向に十分な強度を確保できる。
【００３３】
カバー部材７２は、第１，第２切断部材７１ａ，７１ｂを略覆いつつ支持するもので、図５〜図７等に示すように、第１，第２切断部材７１ａ，７１ｂを遊技球の進行方向における上流側（発射手段８側）から略覆う第１カバー部８１ａと、第１，第２切断部材７１ａ，７１ｂを遊技球の進行方向における下流側（遊技領域６ａ側）から略覆う第２カバー部８１ｂとを備え、例えば第１カバー部８１ａが連結部６８を介して筒状部６５に一体に連結され、第２カバー部８１ｂが第１カバー部８１ａに対して接着等により固定されている。
【００３４】
カバー部材７２は、第１，第２切断部材７１ａ，７１ｂよりも一回り大きな略板状で、その板厚方向の中間部分、即ち第１カバー部８１ａと第２カバー部８１ｂとの対向部分に、第１，第２切断部材７１ａ，７１ｂを収容する切断部材収容部８２が設けられている。本実施形態では、切断部材収容部８２を第２カバー部８１ｂにおける第１カバー部８１ａとの対向面側に凹入状に設けている。この切断部材収容部８２は、第１，第２切断部材７１ａ，７１ｂを合わせた板厚に相当する深さに形成されている。なお、切断部材収容部８２は第１カバー部８１ａ側に設けてもよいし、第１カバー部８１ａと第２カバー部８１ｂとに跨がって設けてもよい。
【００３５】
また、カバー部材７２の先端側の縁部には、第１，第２切断部材７１ａ，７１ｂ側の切り込み部７９に対応する切欠部８３が第１，第２カバー部８１ａ，８１ｂに跨がって形成されると共に、その切欠部８３の幅方向（前後方向）両側に、切欠部８３側に傾斜する傾斜案内部（カバー側案内部）８４が第１，第２カバー部８１ａ，８１ｂに跨がって形成されている。
【００３６】
切欠部８３は、切り込み部７９よりも大きな開き角の略Ｖ字状に形成されており、その内側に、切り込み部７９及び傾斜案内部７８が露出している。なお、切欠部８３は、遊技球が第１，第２切断部材７１ａ，７１ｂに接触し得ない開口幅に形成され、また切り込み部７９の谷底部よりも若干下方に達する深さに形成されている（図８参照）。
【００３７】
また図６に示すように、第２カバー部８１ｂには、切断部材収容部８２の底面８２ａに第１，第２切断部材７１ａ，７１ｂ側の凹部を埋めるための嵌合部８５が段状に形成され、第１カバー部８１ａには、第２カバー部８１ｂとの対向面側に第１，第２切断部材７１ａ，７１ｂ側の凹部を埋めるための嵌合部８６が突起状に形成されている。また、第１カバー部８１ａ側には、第２カバー部８１ｂを回転軸６３側から支持する支持突部８７が一体に突設されている。
【００３８】
錘部６６は、可動部材６２を閉鎖側（反時計廻り）に付勢するもので、図７等に示すように、筒状部６５から例えば内レール３２と略同じ向き、即ち正面視左斜め下向きに一体に突設されている。錘部６６には、錘装着孔６６ａが例えば回転軸６３と平行に形成されており、この錘装着孔６６ａに、例えば円柱状に形成された錘８８が嵌入されている。
【００３９】
可動部材６２を揺動自在に支持する支持部材６４は、図４，図５等に示すようにベース部材８９と押さえ部材９０とを備えている。ベース部材８９は、例えば合成樹脂製で、遊技盤６の前面に沿って配置される装着板９１と、この装着板９１から前向きに突設される規制部９２及びネジ止め基部９３とを備えている。
【００４０】
装着板９１は、例えば内レール３２の上端側から遊技盤６の前面に沿って遊技球の進行方向に突設されており、その先端側に、回転軸６３の後端側を支持する後軸支持部９４ａが設けられ、また内レール３２側の端部にネジ止め基部９３が設けられている。なお、装着板９１の先端部は、回転軸６３を中心とする正面視円弧状に形成されている。
【００４１】
規制部９２は、可動部材６２の下部側を遊技領域６ａ側から覆うと共に、可動部材６２の揺動範囲を閉鎖状態と開放状態との間に制限するもので、装着板９１の遊技領域６ａ側の縁部に沿って前向きに突設されている。規制部９２には、可動部材６２が閉鎖状態となったときに例えば錘部６６に当接して更なる閉鎖側（反時計廻り）への揺動を阻止する閉鎖規制部９５ａが、例えば内面側に突設されている。更に、規制部９２の上端部は、可動部材６２が開放状態となったときに例えば連結部６８に当接して更なる開放側（時計廻り）への揺動を阻止する開放規制部９５ｂとなっている。
【００４２】
押さえ部材９０は、可動部材６２を前側から支持するもので、例えば合成樹脂により装着板９１に対応する形状の略板状に形成されている。押さえ部材９０には、回転軸６３の前端側を支持する前軸支持部９４ｂが後軸支持部９４ａの前側に対応して設けられると共に、ネジ止め基部９３に対応するネジ孔部９６が設けられており、固定ネジ９７によりネジ孔部９６をネジ止め基部９３にネジ止めすることによりベース部材８９の前側に着脱自在に固定されている。
【００４３】
以上のように構成された球戻り防止手段４３は、図７に示すように通常時は可動部材６２が錘８８によって閉鎖状態に保持されている。この閉鎖状態では、開閉部６１が略上向きとなって外レール３１側に斜めにせり出し、これによって出口４２は遊技球の直径よりも小さく絞られた状態となる。
【００４４】
発射手段８によって発射された遊技球が発射案内通路４１を通って出口４２に達し、その遊技球が閉鎖状態の開閉部６１に衝突すると、図１０（ａ）に示すように可動部材６２は錘８８の付勢力に抗して時計廻りに回転し、開閉部６１が外レール３１と略平行になって出口４２を開放するため、その遊技球は出口４２を通過して遊技領域６ａ側に侵入することができる。遊技球が出口４２を通過すると、図１０（ｂ）に示すように可動部材６２は再び錘８８の重みによって反時計廻りに回転し、閉鎖状態に復帰する。なお、閉鎖状態の可動部材６２は反時計廻りには回転できないため、一旦遊技領域６ａに進入した遊技球が出口４２側に跳ね返ってきても、その遊技球は開閉部６１を押し開けることができず、出口４２を逆向きに通過することはできない。
【００４５】
ここで、出口４２を通過した遊技球が、糸状体Ａが繋がれた不正球Ｂであった場合、例えば不正球Ｂが遊技領域６ａ内を流下する際に、図１０（ｃ）に示すように糸状体Ａが可動部材６２の開閉部６１に引っ掛かり、例えば遊技球Ｂの慣性力によって糸状体Ａに引張り力が作用する。これにより、糸状体Ａは傾斜案内部８４，７８に案内されて２つの切り込み部７９のうちの一方に咬み込み、その切り込み部７９を構成する第１刃部７３ａと第２刃部７３ｂとによる剪断力によって切断される。なお、不正球Ｂによる慣性力のみでは糸状体Ａが切断されない場合でも、糸状体Ａは切り込み部７９に確実に咬み込まれるため、不正球Ｂを移動させるべく糸状体Ａの他端側が引っ張られた時点で糸状体Ａは切り込み部７９によって確実に切断される。
【００４６】
以上説明したように、本実施形態のパチンコ機では、球戻り防止手段４３に設けた切断手段６７が、第１刃部（第１縁部）７３ａを有する板状の第１切断部材７１ａと第２刃部（第２縁部）７３ｂを有する板状の第２切断部材７１ｂとを備え、第１刃部７３ａと第２刃部７３ｂとが向かい合わせで交差するように第１切断部材７１ａと第２切断部材７１ｂとを重ねることにより、遊技球の進行方向に沿って切断手段６７の先端側から他端側に向けて略Ｖ字状の切り込み部７９が形成されているため、不正球Ｂに繋がれた糸状体Ａを容易に切断することができ、また十分な強度により糸状体の切断機能を長期間維持することが可能である。
【００４７】
図１１及び図１２は本発明の第２の実施形態を例示し、第１の実施形態を一部変更して、第１切断部材７１ａと第２切断部材７１ｂとが切断刃構成部７４を各１個備えることにより、切断手段６７における切り込み部７９の数を１つとした例を示している。なお、本実施形態が第１の実施形態と異なるのは、第１，第２切断部材７１ａ，７１ｂの形状及びそれに対応するカバー部材７２の形状のみであり、それ以外の基本的構成は第１の実施形態と共通である。以下、第１の実施形態と異なる部分を中心に説明する。
【００４８】
本実施形態の切断手段６７を構成する第１切断部材７１ａと第２切断部材７１ｂとは、図１２に示すように同一形状に形成された金属板で、第１の実施形態と同様の切断刃構成部７４を夫々１つ有している。切断刃構成部７４は、遊技球の進行方向に沿って配置され且つその長手方向に沿う両縁部のうちの一方が第１，第２刃部（第１，第２縁部）７３ａ，７３ｂを構成する突出部７６と、この突出部７６の回転軸６３側に設けられ且つ回転軸６３に沿って第１，第２刃部７３ａ，７３ｂ側に突出する第１，第２端部重複部７７ａ，７７ｂとで構成されている。突出部７６は、第１，第２刃部７３ａ，７３ｂが遊技球の進行方向に対して傾斜していることにより先細り状に形成されている。また、突出部７６の先端部には、少なくとも幅方向における第１，第２刃部７３ａ，７３ｂ側に、第１，第２刃部７３ａ，７３ｂ側に向けて傾斜する傾斜案内部７８が形成されている。
【００４９】
第１切断部材７１ａと第２切断部材７１ｂとは、突出部７６の向きを揃えた状態で一方を反転させ、第１切断部材７１ａ側の第１端部重複部７７ａと第２切断部材７１ｂ側の第２端部重複部７７ｂとが、それらの略全面において互いに重ね合わされている。これにより、図１１に示すように第１切断部材７１ａ側の第１刃部７３ａと第２切断部材７１ｂ側の第２刃部７３ｂとが向かい合わせで交差し、遊技球の進行方向に沿って開閉部６１の先端側から他端側（回転軸６３側）に向けて凹入する略Ｖ字状の切り込み部７９が、開閉部６１の幅方向（前後方向）に１つ形成されている。
【００５０】
カバー部材７２には、その先端側の縁部に、第１，第２切断部材７１ａ，７１ｂ側の切り込み部７９に対応する略Ｖ字型の切欠部８３が形成されると共に、その切欠部８３の幅方向（前後方向）両側に、切欠部８３側に傾斜する傾斜案内部（カバー側案内部）８４が形成されている。この傾斜案内部８４は、切欠部８３を除き、カバー部材７２の先端側縁部の幅方向略全体にわたって設けることが望ましい。
【００５１】
図１３，図１４は本発明の第３，第４の実施形態を例示し、第２の実施形態の切断手段６７と略同様の切断手段６７′を、球戻り防止手段４３を構成する可動部材６２の近傍に設けた例を示している。
【００５２】
図１３に示す第３の実施形態では、切断手段６７′を、可動部材６２に対して遊技盤６側に配置し、切り込み部７９が略上向きとなるように例えば支持部材６４により支持している。本実施形態では、可動部材６２には切断手段６７を設けておらず、開閉部６１の先端側には、糸状体Ａを切断手段６７′側に案内する傾斜状の案内部９８を設けている。なお、切断手段６７′は可動部材６２に対して視認窓１２側に設けてもよいし、遊技盤６側と視認窓１２側との両方に設けてもよい。切断手段６７′は、第１の実施形態の切断手段６７のように切り込み部７９を複数備えていてもよい。
【００５３】
また、図１４に示す第４の実施形態についても第３の実施形態と同様、切断手段６７′を、可動部材６２に対して遊技盤６側に配置し、切り込み部７９が略上向きとなるように例えば支持部材６４により支持しているが、第２の実施形態と同様に可動部材６２にも切断手段６７を設けている。即ち本実施形態では、糸状体Ａが可動部材６２の切断手段６７に捕捉されることなく可動部材６２と遊技盤６との隙間に侵入した場合に、その糸状体Ａを切断手段６７′により切断するようになっている。なお、切断手段６７′は可動部材６２に対して視認窓１２側に設けてもよいし、遊技盤６側と視認窓１２側との両方に設けてもよい。切断手段６７，６７′は、第１の実施形態の切断手段６７のように切り込み部７９を複数備えていてもよい。
【００５４】
以上、本発明の実施形態について詳述したが、本発明はこれらの実施形態に限定されるものではなく、本発明の趣旨を逸脱しない範囲で種々の変更が可能である。例えば、切断手段にＶ字状の切り込み部７９を３つ以上設けてもよい。
【００５５】
実施形態では、カバー部材７２を第１カバー部８１ａと第２カバー部８１ｂとで構成し、それらにより第１，第２切断部材７１ａ，７１ｂを挟持するように構成したが、例えば第１，第２切断部材７１ａ，７１ｂを埋め込んだ状態で樹脂製のカバー部材７２を一体に成型してもよい。
【００５６】
第３，第４の実施形態のように切断手段６７′を球戻り防止手段４３の可動部材６２の近傍に配置する場合、切断手段６７′は球戻り防止手段４３の支持部材６４ではなく例えば遊技盤６等に装着してもよい。
【００５７】
また本発明は、パチンコ機に限らず、アレンジボール機、雀球遊技機等の各種遊技機において同様に実施することが可能である。
【符号の説明】
【００５８】
６ａ  遊技領域
８    発射手段
４３    球戻り防止手段
６２    可動部材
６７    切断手段
６７′  切断手段
７１ａ  第１切断部材
７１ｂ  第２切断部材
７２    カバー部材
７３ａ  第１刃部（第１縁部）
７３ｂ  第２刃部（第２縁部）
７５ａ  第１中間重複部
７５ｂ  第２中間重複部
７７ａ  第１端部重複部
７７ｂ  第２端部重複部
７８    傾斜案内部（案内部）
７９    切り込み部
８４    傾斜案内部（カバー側案内部）
Ａ    糸状体
Ｂ    遊技球
【図１】
2016209061.tif 000003
【図２】
2016209061.tif 000004
【図３】
2016209061.tif 000005
【図４】
2016209061.tif 000006
【図５】
2016209061.tif 000007
【図６】
2016209061.tif 000008
【図７】
2016209061.tif 000009
【図８】
2016209061.tif 000010
【図９】
2016209061.tif 000011
【図１０】
2016209061.tif 000012
【図１１】
2016209061.tif 000013
【図１２】
2016209061.tif 000014
【図１３】
2016209061.tif 000015
【図１４】
2016209061.tif 000016